(57)【特許請求の範囲】
【請求項１】
天井部分に埋設させて取付けられ、本体ケースと、この本体ケースの内周側に着脱可能に収容されるファンケースと、このファンケース内に収容されるファン及びモータとを有する換気扇本体と、
前記換気扇本体に着脱可能に取付けられてこの換気扇本体の下面側を覆う化粧パネルと、
前記化粧パネルの上面側に取付けられ、中央部に位置するコイル部とこのコイル部の両側に延出して拡開する方向に付勢された一対の腕部を有する捩りバネと、
前記ファンケースの下面側に取付けられ、前記腕部が挿入される挿入孔を有するとともにこれらの腕部が前記挿入孔の縁部に係止されることにより前記化粧パネルが前記換気扇本体に取付けられる取付金具と、を有し、
前記挿入孔の縁部には、前記挿入孔に挿入された一方の前記腕部が拡開する方向に向かうにつれて先細形状に傾斜してその頂点部に位置する第１係止部と、前記挿入孔に挿入された他方の前記腕部が拡開する方向に向かうにつれて先細形状に傾斜してその頂点部に位置する第２係止部とが設けられ、これらの第１係止部と第２係止部との位置は前記腕部が拡開する方向と直交する方向に向けて前記コイル部の厚さ寸法分ずれていることを特徴とするダクト用換気扇。
【請求項２】
前記挿入孔は、一対の前記腕部が挿入されるとともに挿入された一対の腕部が拡開する方向に長尺状に形成され、長尺方向の一端側に前記第１係止部が設けられて長尺方向の他端側に前記第２係止部が設けられていることを特徴とする請求項１記載のダクト用換気扇。
【発明の詳細な説明】
【技術分野】
【０００１】
本発明の実施形態は、ダクト用換気扇に関する。
【背景技術】
【０００２】
近年、室内空気を換気するためのダクト用換気扇が普及しており、これらのダクト用換気扇は、天井部分に埋設させて取付けられる換気扇本体と、この換気扇本体の下面を覆う化粧パネルとを有し、換気扇本体には天井裏に配設された排気ダクトが接続されている。化粧パネルは換気扇本体に着脱可能に取付けられており、ダクト用換気扇のメンテナンス時には、換気扇本体から化粧パネルを取外している。
【０００３】
換気扇本体への化粧パネルの取付は、下記特許文献１に記載されたように、化粧パネルの上面側に取付けられた一対の捩りバネと、換気扇本体の下面側に取付けられて捩りバネの腕部を係止する係止部材とを用いて行われている。
【先行技術文献】
【特許文献】
【０００４】
【特許文献１】特開２０１２-２４７０８６号公報
【発明の概要】
【発明が解決しようとする課題】
【０００５】
しかしながら、捩りバネを用いて化粧パネルを換気扇本体に取付ける場合、捩りバネの腕部が係止部材に係止される位置がバラツキを生じ易い。このバラツキにより、捩りバネから化粧パネルに対して化粧パネルを水平面内で捩る力が作用し、換気扇本体への化粧パネルの取付位置が正規の取付位置から水平面内で捩れる場合がある。換気扇本体への化粧パネルの取付位置が正規の取付位置から捩じれると、化粧パネルの取付位置が天井面の升目等に対して傾いた状態となり、天井部分の美観が損なわれる。このため、換気扇本体への化粧パネルの取付けに際しては、化粧パネルの取付位置が正規の取付位置となるように調節する必要があり、この調節を行うことにより換気扇本体への化粧パネルの取付作業に手間がかかっている。
【０００６】
本発明の実施形態の目的は、天井部分に埋設された換気扇本体に化粧パネルを取付ける場合、水平面内での化粧パネルの捩れの調節を行うことなく化粧パネルを正規の取付位置に取付けられるようにしたダクト用換気扇を提供することである。
【課題を解決するための手段】
【０００７】
実施形態のダクト用換気扇は、天井部分に埋設させて取付けられ、本体ケースと、この本体ケースの内周側に着脱可能に収容されるファンケースと、このファンケース内に収容されるファン及びモータとを有する換気扇本体と、換気扇本体に着脱可能に取付けられてこの換気扇本体の下面側を覆う化粧パネルと、化粧パネルの上面側に取付けられ、中央部に位置するコイル部とこのコイル部の両側に延出して拡開する方向に付勢された一対の腕部を有する捩りバネと、ファンケースの下面側に取付けられ、腕部が挿入される挿入孔を有するとともにこれらの腕部が挿入孔の縁部に係止されることにより化粧パネルが換気扇本体に取付けられる取付金具と、を有し、挿入孔の縁部には、挿入孔に挿入された一方の腕部が拡開する方向に向かうにつれて先細形状に傾斜してその頂点部に位置する第１係止部と、挿入孔に挿入された他方の腕部が拡開する方向に向かうにつれて先細形状に傾斜してその頂点部に位置する第２係止部とが設けられ、これらの第１係止部と第２係止部との位置は腕部が拡開する方向と直交する方向に向けてコイル部の厚さ寸法分ずれている。
【図面の簡単な説明】
【０００８】
【図１】ダクト用換気扇を示す分解斜視図である。
【図２】ファンケースへの化粧パネルの取付構造を示す縦断側面図である。
【図３】取付金具の挿入孔への捩りバネの挿入状態を示す底面図である。
【図４】取付金具の挿入孔への捩りバネの挿入手順を説明する断面図である。
【発明を実施するための形態】
【０００９】
以下、一実施形態を図面に基づいて説明する。図１はダクト用換気扇１を示す分解斜視図であり、図２はその一部を示す縦断側面図である。ダクト用換気扇１は、天井部分に埋設させて取付けられる換気扇本体２と、換気扇本体２に着脱可能に取付けられて換気扇本体２の下面を覆う化粧パネル３とを有している。
【００１０】
換気扇本体２は、本体ケース４と、この本体ケース４の内周側に着脱可能に収容されるファンケース５と、このファンケース５内に着脱可能に収容されるファン６及びモータ７とを有している。
【００１１】
本体ケース４は、鋼材製の角型のケースであり、天井部分に埋設されて固定されている。本体ケース４の下面は開口されており、この開口部分からファン６とモータ７を有するファンケース５を着脱できるようになっている。本体ケース４の一つの側面部には、天井裏に配設されている排気ダクト（図示せず）が接続される排気口８が設けられている。
【００１２】
ファンケース５は、鋼材製の略円筒型のケースであり、その内部にファン６とモータ７とが着脱可能に収容されている。ファンケース５の下面は開口されており、この開口部分にはベルマウス１９が設けられている。ベルマウス１９にはファン６の直径よりも小さい直径の吸込み口が開口している。ファンケース５からファン６を取り外す際には、ベルマウス１９を取り外した後、モータ７の軸からファン６を取り外す必要がある。モータ７はファン６を取り外した後、ファンケース５から着脱できるようになっている。
【００１３】
化粧パネル３は、中央部に通風領域となるグリル９を有し、グリル９の周囲に枠部１０を有している。化粧パネル３の上面部である枠部１０の上面部には、一対の捩りバネ１１が取付けられている。捩りバネ１１は、ピアノ線、硬鋼線、バネ用ステンレス等により形成され、中央部に位置するコイル部１２（図２参照）と、コイル部１２の両側に延出して拡開する方向（互いに離間する方向）に付勢された一対の腕部１３とを有している。各腕部１３の先端部には、引っ掛け用の屈曲部１４が設けられている。
【００１４】
ファンケース５の下面側には、捩りバネ１１の腕部１３が挿入される挿入孔１５を有する取付金具１６が固定されている。取付金具１６は、換気扇本体２に化粧パネル３を取付けた場合、化粧パネル３に取付けられている捩りバネ１１と上下方向で対向するように位置決めされている。
【００１５】
挿入孔１５は、捩りバネ１１の一対の腕部１３が挿入される長尺状に形成されている。挿入孔１５に挿入される腕部１３は、腕部１３の拡開する方向が挿入孔１５の長尺方向となる向きに向けられている。
【００１６】
図３に示すように、挿入孔１５の長尺方向の一端側の縁部には、挿入孔１５に挿入された一方の腕部１３が拡開する方向に向かうにつれて先細形状に傾斜してその頂点部に位置し、腕部１３を係止する第１係止部１７が設けられている。また、挿入孔１５の長尺方向の他端側の縁部には、挿入孔１５に挿入された他方の腕部１３が拡開する方向に向かうにつれて先細形状に傾斜してその頂点部に位置し、腕部１３を係止する第２係止部１８が設けられている。これらの第１係止部１７と第２係止部１８との位置は、腕部１３が拡開する方向と直交する方向に向けて、コイル部１２の厚さ寸法分“Ａ”ずれている。すなわち、厚さ寸法“Ａ”はバネがコイル状に巻層された厚さ分のことであり、用いられるバネの巻数や構造的特徴に応じて適宜変更してよい。
【００１７】
このような構成において、このダクト用換気扇１は、天井部分に換気扇本体２が埋設させて取付けられ、換気扇本体２の下面を覆う化粧パネル３が換気扇本体２に着脱可能に取付けられている。
【００１８】
換気扇本体２への化粧パネル３の取付けは、化粧パネル３の上面側に取付けられた捩りバネ１１の腕部１３を、ファンケース５の下面側に固定された取付金具１６の挿入孔１５に挿入することにより行われている。より詳しくは、捩りバネ１１の腕部１３は拡開する方向に付勢されており、拡開した腕部１３が挿入孔１５の長尺方向の縁部に設けられた第１係止部１７と第２係止部１８とに係止されることにより換気扇本体２への化粧パネル３の取付けが行われている。
【００１９】
図４は、挿入孔１５への捩りバネ１１の挿入手順を説明しており、図４（ａ）は、捩りバネ１１の腕部１３が取付金具１６の挿入孔１５に挿入される前の状態を示している。一対の腕部１３には指をかけて矢印で示す向きに力が加えられており、腕部１３は拡開する方向と逆方向（腕部１３が互いに接近する方向）にすぼめられ、腕部１３の先端部の幅寸法は、挿入孔１５の長尺方向の幅寸法より小さくなっている。
【００２０】
図４（ｂ）は、化粧パネル３を上方へ移動させることにより腕部１３の先端部が挿入孔１５に挿入された状態を示している。一対の腕部１３は、すぼまる方向に力を加えた状態に維持されている。
【００２１】
図４（ｃ）は、腕部１３の先端部を挿入孔１５に挿入した後、腕部１３から指を離した状態を示している。腕部１３から指を離すと、腕部１３は拡開する方向に撓み、腕部１３が挿入孔１５の第１係止部１７と第２係止部１８とに係止され、化粧パネル３が換気扇本体２に保持される。
【００２２】
化粧パネル３が換気扇本体２に保持された後、化粧パネル３をさらに上方に押し上げることにより、捩りバネ１１が腕部１３を第１係止部１７と第２係止部１８とに係止した状態で上昇し、化粧パネル３が所定の取付位置まで上昇することにより換気扇本体２への化粧パネル３の取付けが終了する。
【００２３】
ここで、挿入孔１５の第１係止部１７と第２係止部１８とは、挿入孔１５に挿入された腕部１３が拡開する方向に向かうにつれて先細形状に傾斜した頂点部に設けられており、しかも、これらの第１係止部１７と第２係止部１８との位置が、腕部１３が拡開する方向と直交する方向に向けてコイル部１２の厚さ寸法分“Ａ”ずれている。
【００２４】
このため、挿入孔１５に挿入された腕部１３が拡開し、一方の腕部１３が第１係止部１７に係止されるとともに他方の腕部１３が第２係止部１８に係止された場合、一対の腕部１３は拡開する方向に撓むのみで、捩りバネ１１をコイル部１２の周りに捩る力は発生しない。したがって、捩りバネ１１から化粧パネル３に対して、化粧パネル３を水平面内で捩る力は作用せず、化粧パネル３の取付位置が正規の取付位置に対して水平面内で捩れるということが発生しない。このため、捩りバネ１１の腕部１３を取付金具１６の挿入孔１５に挿入した後に化粧パネル３を押し上げるだけで、化粧パネル３を正規の取付位置に取付けることができる。したがって、換気扇本体２への化粧パネル３の取付けに際しては、捩りバネ１１を取付金具１６の挿入孔１５に挿入して化粧パネル３を押し上げるだけでよく、化粧パネル３の取付位置が正規の取付位置となるように水平面内で化粧パネル３を捩って位置調節するという必要がなくなり、換気扇本体２への化粧パネル３の取付作業を、手間をかけず容易に行うことができる。
【００２５】
腕部１３の先端部には屈曲部１４が設けられており、化粧パネル３の着脱時に屈曲部１４が第１・第２係止部１７、１８に引っ掛かって吊り下げ状態に保持される。このため、着脱しようとする化粧パネル３が何らかの原因で不意に脱落するということを防止することができ、着脱作業の安全性を高めることができる。
【００２６】
取付金具１６は、ファンケース５の下面側に固定されている。このため、換気扇本体２をメンテナンスのために本体ケース４に対して着脱する場合、取付金具１６と換気扇本体２とが共に着脱される。したがって、換気扇本体２の着脱時に取付金具１６が着脱の障害になるということがなく、換気扇本体２を着脱する作業を容易に行うことができる。
【００２７】
以上、本発明の一実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２８】
１…天井換気扇、２…換気扇本体、３…化粧パネル、５…ファンケース、６…ファン、７…モータ、１１…捩りバネ、１２…コイル部、１３…腕部、１５…挿入孔、１６…取付金具、１７…第１係止部、１８…第２係止部
【図１】
0006333762.tif 000002
【図２】
0006333762.tif 000003
【図３】
0006333762.tif 000004
【図４】
0006333762.tif 000005